(57)【要約】  【課題】エアーフィルターの配置の向きに関係なく効率よくエアーフィルターの塵埃を除去でき、メンテナンスの容易なプロジェクター装置を提供する。  【解決手段】吸気口４から外気を吸引し本体２ａ内を冷却した後排気口（図示せず）より排気する送風機１０と、吸気口４と排気口を連通する空気通路９を横断して配されると共に吸引される外気に含まれた塵埃を捕集するエアーフィルター１６と、除塵体２６と、除去された塵埃を収納する塵埃収納部２５ａとを備え、除塵体２６は、空気通路９の外方に配されエアーフィルター１６の塵埃を除去する除塵ブラシ２３と、除塵ブラシ２３に付着した塵埃を除去する除去ブラシ２４からなり、除塵ブラシ２３及び／又は除去ブラシ２４の先端を塵埃収納部２５ａ側に対して、突き刺さるように傾斜させたもので、本体２ａ内でエアーフィルター１６がどの向きに配置されても、塵埃を確実に除去出来る。【選択図】図１
2010128394.tif 000002
【特許請求の範囲】
【請求項１】
吸気口と排気口を連通する空気通路と、前記吸気口から外気を本体内に吸引し内部を冷却した後前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたことを特徴とするプロジェクター装置。
【請求項２】
除塵体又は／及び塵埃収納部を有する塵埃収納ケースを、プロジェクター装置本体に着脱自在に設けた請求項１に記載のプロジェクター装置。  
【請求項３】
吸気口と排気口を連通する空気通路と、前記吸気口から外気を本体内に吸引し内部を冷却した後前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたことを特徴とするプロジェクター装置。
【請求項４】
エアーフィルター清掃機構を、プロジェクター装置本体に着脱自在に設けた請求項３に記載のプロジェクター装置。
【請求項５】
吸気口と排気口間の通過空気の温度又は圧力、或いはプロジェクター装置の積算運転時間に応じて、エアーフィルターを所定角度回転又は所定距離移動させることを特徴とする請求項１〜４のいずれか１項に記載のプロジェクター装置。
【発明の詳細な説明】
【技術分野】
【０００１】
本発明は、プロジェクター装置に関するもので、特に、エアーフィルターを清掃する機構を有するプロジェクター装置に関するものである。
【背景技術】
【０００２】
従来のこの種のプロジェクター装置として、送り出しリールと、前記送り出しリールと間を置いて配された巻き取りリールと、一端が前記送り出しリールに係止されると共に巻かれ、他端が前記巻き取りリールに係止されたロール状のエアーフィルターと、巻き取りリールを回転駆動する駆動手段とを備え、前記エアーフィルターの前記送り出しリールと前記巻き取りリール間に位置する部分を、プロジェクター装置に設けられた空冷用吸気口の前に配置して、プロジェクター装置の運転中に、所定の時間間隔で前記駆動手段に通電して、汚れたエアーフィルターを巻き取りリールに順次巻き取るようにしたものがある（例えば、特許文献１参照）。
【０００３】
しかしながら、上記特許文献１に記載されたような従来のプロジェクター装置の構成では、エアーフィルターに付着した塵埃を自動的に除去する機構が無く、単に塵埃で目詰まりしたエアーフィルターを巻き取りリールで巻き取るだけなので、エアーフィルターの全長が目詰まりしたときは、エアーフィルターを巻き取りリールごと取り外し、そのエアーフィルターを広げて掃除する必要があり、清掃作業が非常に面倒であった。
【０００４】
この問題を解決するために、プロジェクター装置に設けられた外気取り入れ口に沿って移動可能又は外気取り入れ口上で回転可能に配設したエアーフィルターと、前記エアーフィルターを移動又は回転させるための駆動メカユニットと、前記エアーフィルターに摺接し、付着した粉塵を除去するブラシとから構成され、前記エアーフィルターに一定量の粉塵が溜まっていることを、目詰まりセンサーで感知した時、あるいは所定の時間が経った時に、駆動メカユニットでエアーフィルターを移動または回転させ、その間にブラシでエアーフィルターに付着した埃や粉塵を除去するようにしたものがある（例えば、特許文献２参照）。
【特許文献１】特開平８−１２８４００号公報
【特許文献２】特開２００８−０６５０２１号公報
【発明の開示】
【発明が解決しようとする課題】
【０００５】
上記特許文献２に記載された従来のプロジェクター装置には、エアーフィルターに付着した塵埃を除去するブラシが設けられているので、エアーフィルターからの塵埃の除去を確実に行うことができるが、ブラシで除去した塵埃がエアーフィルターに再付着しにくいようにするために、同特許文献２にも図示されているようにエアーフィルターを水平に設置しなければならず、プロジェクター装置の高さが高くなるなど設計上制約を受けると言った課題があった。
【０００６】
また、エアーフィルターの上流側に付着した塵埃を除去するのはブラシだけなので、エアーフィルターから除去された塵埃がブラシに残った場合、その塵埃がエアーフィルターに再付着するといった課題があった。
【０００７】
また、同特許文献２に記載された従来のプロジェクター装置で、エアーフィルターの清掃時にエアーフィルターを回転させるようにしたものでは、塵埃を除去するブラシが、エアーフィルターの外気通過面に配置されているため、エアーフィルターの有効濾過面積が減少し、エアーフィルターの目詰まりの時期が早くなり、その結果、除塵回数が多くなって、駆動メカユニットの寿命が短くなる、という課題があった。
【０００８】
本発明は、上記従来の課題を解決するもので、エアーフィルターの濾過面積を有効に活用しながら、エアーフィルターの配置の向きに関係なく効率よくエアーフィルターの塵埃を除去すると共に、塵埃の排気頻度が少なく、メンテナンスの容易なプロジェクター装置を提供することを目的とするものである。
【課題を解決するための手段】
【０００９】
上記従来の課題を解決するために、本発明のプロジェクター装置は、吸気口と排気口を連通する空気通路と、前記吸気口から外気を本体内に吸引し内部を冷却した後前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【００１０】
また、除塵ブラシ及び／又は除去ブラシの先端を塵埃収納部側に対して、突き刺さるように傾斜させているので、除塵ブラシや除去ブラシに付着した塵埃が確実に塵埃収納部側に移動することになり、一旦除去された塵埃がエアーフィルターに再付着することが無い。
【００１１】
また、除塵ブラシを、空気通路より外方、すなわち、エアフィルターの外気が通過する通気エリア以外に設けているので、除塵ブラシが、外気の通過を阻害することがなく、エアフィルターの濾過面積を有効に活用できる。
【００１２】
また、除塵ブラシによるエアフィルターの除塵は、外気が通過する空気通路の外側で行われるので、エアフィルターに作用する吸引風と除塵ブラシの作用で、一旦捕集された塵埃がエアフィルターの目を通過することが無い。
【００１３】
また、エアーフィルターの除塵が、使用者の手を煩わすこと無く除塵ブラシで確実に行われ、エアーフィルターが常にきれいな状態で維持されるので、エアーフィルターの部分での空気圧損が少なく、プロジェクター装置内部を効率よく冷却できるので、信頼性に優れたプロジェクター装置を提供することが出来る。
【００１４】
また、本発明のプロジェクター装置は、吸気口と排気口を連通する空気通路と、前記吸気口から外気を本体内に吸引し内部を冷却した後前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【００１５】
また、除塵ブラシ及び／又は除去ブラシの先端を塵埃収納部側に対して、突き刺さるように傾斜させているので、除塵ブラシや除去ブラシに付着した塵埃が確実に塵埃収納部側に移動することになり、一旦除去された塵埃がエアーフィルターに再付着することが無い。
【００１６】
また、除塵ブラシを、空気通路より外方、すなわち、エアフィルターの外気が通過する通気エリア以外に設けているので、除塵ブラシが、外気の通過を阻害することがなく、エアフィルターの濾過面積を有効に活用できる。
【００１７】
また、除塵ブラシによるエアフィルターの除塵は、外気が通過する空気通路の外側で行われるので、エアフィルターに作用する吸引風と除塵ブラシの作用で、一旦捕集された塵埃がエアフィルターの目を通過することが無い。
【００１８】
また、エアーフィルターの除塵が、使用者の手を煩わすこと無く除塵ブラシで確実に行われ、エアーフィルターが常にきれいな状態で維持されるので、エアーフィルターの部分での空気圧損が少なく、プロジェクター装置内部を効率よく冷却できるので、信頼性に優れたプロジェクター装置を提供することが出来る。
【発明の効果】
【００１９】
本発明のプロジェクター装置は、エアーフィルターの濾過面積を有効に活用しながら、エアーフィルターの配置の向きに関係なく効率よくエアーフィルターの塵埃を除去すると共に、塵埃の排気頻度が少なく、メンテナンスが非常に容易である。
【発明を実施するための最良の形態】
【００２０】
第１の発明は、吸気口と排気口を連通する空気通路と、前記吸気口から外気を本体内に吸引し内部を冷却した後前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【００２１】
また、除塵ブラシ及び／又は除去ブラシの先端を塵埃収納部側に対して、突き刺さるように傾斜させているので、除塵ブラシや除去ブラシに付着した塵埃が確実に塵埃収納部側に移動することになり、一旦除去された塵埃がエアーフィルターに再付着することが無い。
【００２２】
また、除塵ブラシを、空気通路より外方、すなわち、エアフィルターの外気が通過する通気エリア以外に設けているので、除塵ブラシが、外気の通過を阻害することがなく、エアフィルターの濾過面積を有効に活用できる。
【００２３】
また、除塵ブラシによるエアフィルターの除塵は、外気が通過する空気通路の外側で行われるので、エアフィルターに作用する吸引風と除塵ブラシの作用で、一旦捕集された塵埃がエアフィルターの目を通過することが無い。
【００２４】
また、エアーフィルターの除塵が、使用者の手を煩わすこと無く除塵ブラシで確実に行われ、エアーフィルターが常にきれいな状態で維持されるので、エアーフィルターの部分での空気圧損が少なく、プロジェクター装置内部を効率よく冷却できるので、信頼性に優れたプロジェクター装置を提供することが出来る。
【００２５】
第２の発明は、特に、第１の発明の除塵体又は／及び塵埃収納部を有する塵埃収納ケースを、プロジェクター装置本体に着脱自在に設けたもので、除塵体をプロジェクター装置本体に着脱自在に設けた場合は、除塵体の清掃、メンテナンスが容易になり、また、塵埃収納ケースをプロジェクター装置本体に着脱自在に設けた場合は、塵埃の廃棄が容易になる。
【００２６】
第３の発明は、吸気口と排気口を連通する空気通路と、前記吸気口から外気を本体内に吸引し内部を冷却した後前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、前記エアーフィルターから除去された塵埃を収納する塵埃収納部と、前記除塵体及び／又は前記エアーフィルターを回転又は移動させる駆動手段とを備え、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端を前記塵埃収納部側に対して、突き刺さるように傾斜させたもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【００２７】
また、除塵ブラシ及び／又は除去ブラシの先端を塵埃収納部側に対して、突き刺さるように傾斜させているので、除塵ブラシや除去ブラシに付着した塵埃が確実に塵埃収納部側に移動することになり、一旦除去された塵埃がエアーフィルターに再付着することが無い。
【００２８】
また、除塵ブラシを、空気通路より外方、すなわち、エアフィルターの外気が通過する通気エリア以外に設けているので、除塵ブラシが、外気の通過を阻害することがなく、エアフィルターの濾過面積を有効に活用できる。
【００２９】
また、除塵ブラシによるエアフィルターの除塵は、外気が通過する空気通路の外側で行われるので、エアフィルターに作用する吸引風と除塵ブラシの作用で、一旦捕集された塵埃がエアフィルターの目を通過することが無い。
【００３０】
また、エアーフィルターの除塵が、使用者の手を煩わすこと無く除塵ブラシで確実に行われ、エアーフィルターが常にきれいな状態で維持されるので、エアーフィルターの部分での空気圧損が少なく、プロジェクター装置内部を効率よく冷却できるので、信頼性に優れたプロジェクター装置を提供することが出来る。
【００３１】
第４の発明は、特に、第３の発明のエアーフィルター清掃機構を、プロジェクター装置本体に着脱自在に設けたもので、エアーフィルター清掃機構がプロジェクター装置本体に着脱自在なので、エアーフィルター清掃機構、プロジェクター装置それぞれの組み立てが容易になると共に、エアーフィルター清掃機構を前記プロジェクター装置本体から取り外すだけで、エアーフィルター清掃機構や、エアーフィルターの周辺部の点検、修理などのメンテナンスが非常に容易になる。又、エアーフィルター清掃機構をプロジェクター装置本体に取り付けたときに、通気通路部が吸気口と気密に連通するようにすれば、外気が吸気口以外の部分から吸引され、エアーフィルターを通過せずに直接プロジェクター装置内に侵入することが無い。更に、エアーフィルター清掃機構が着脱自在なので、塵埃収納部内の塵埃の廃棄も容易にできる。
【００３２】
また、エアーフィルター清掃機構内にエアーフィルターも含まれているので、エアーフィルター清掃機構を取り外すと、除塵ブラシとエアーフィルターとの当接状態も容易に点検でき、メンテナンスが容易である。
【００３３】
第５の発明は、特に、第１〜４のいずれか１項に記載の吸気口と排気口間の通過空気の温度又は圧力、或いはプロジェクター装置の積算運転時間に応じて、エアーフィルターを所定角度回転又は所定距離移動させるもので、エアーフィルターが目詰まりしてくると、吸気口と排気口間の通過空気の温度が上がったり、圧力が低下する。また、プロジェクター装置を長い間使用するとエアーフィルター上の塵埃の量が増えてくる。従って、吸気口と排気口間の通過空気の温度又は圧力、或いはプロジェクター装置の積算運転時間よりエアーフィルターの汚れ具合を推定し、それに応じて、エアーフィルターを所定角度回転又は所定距離移動させて、エアーフィルターに付着した塵埃を除去するので、使用者が、定期的にエアーフィルターの汚れ具合をチェックしたり、チェックのために、エアーフィルター清掃機構を都度取り外す必要が無く、使用勝手が良い。
【００３４】
以下、本発明の実施例について、図面を参照しながら説明する。なお、この実施例によって本発明が限定されるものではない。
【００３５】
（実施例１）
【００３６】
図１は、本発明の第１の実施例におけるプロジェクター装置の外観斜視図、図２は、同プロジェクター装置のエアーフィルター清掃機構の取付け部周辺の断面図、図３は、同エアーフィルター清掃機構とエアーフィルターの関係を示す斜視図、図４は、同エアーフィルター清掃機構による清掃動作を説明する図である。
【００３７】
図１〜３において、本実施例におけるプロジェクター装置２の本体２ａの前部には、画像を投射する投射レンズを有する投射体３が、一側には、吸気口４が、他側には、排気口５がそれぞれ形成されている。
【００３８】
本体２ａの内部には、投射体３により投射される画像を光学的に処理する多数の電子部品等から成る画像表示素子体６と、画像表示素子体６に電源を供給する電源基板体７と、本体２ａ内の温度や圧力等を検知するセンサー８と、吸気口４と排気口５を連通する空気通路９内に配され、吸気口４から外気を吸引し、画像表示素子体６や電源基板体７などの発熱部品を冷却し、排気口５より排気させるための送風機１０と、画像表示素子体６や送風機１０などを制御する制御体１１等が内装されている。
【００３９】
また、本体２ａの前方乃至上部には、ＬＥＤなどからなり、本体２ａの動作状況等を表示して、使用者に告知する告知部１２が設けられている。
【００４０】
１４は、空気通路９の一部を形成すると共の流入する空気をガイドするガイド壁で、後部に、外気通過口１５ａを有すると共に送風機１０が固定された送風機取り付け壁１５が設けられている。
【００４１】
１６は、略帯状で、空気通路９を横断して設けられると共に、吸気口4から流入する外気に含まれる塵埃を捕集するエアーフィルターで、ガイド壁１４に対向して設けられた一対のスリット１４ａを貫通して配されると共に一端は、筒状の駆動リール１７に、他端は、同じく筒状の従動リール１８に固着されている。エアーフィルター１６の長さは、一旦、エアーフィルター１６を駆動リール１７側に巻き取った状態から、従動リール１８を回転させたときに、少なくともエアーフィルター１６の空気通路９に露出した部分の全てが、後述の除塵ブラシ２３に摺接できるような長さに設定されている。
【００４２】
駆動リール１７は、エアーフィルター１６の一端が固定されるリール体１７ａと、本体２ａに回転自在に支持された回転軸１７ｂと、回転軸１７ｂに固着され、後述のタイミングベルト２１が張架されるプーリー１７ｃから構成されている。１９は、回転軸１７ｂに連結され、駆動リール１７を回転駆動する第１の駆動手段である。
【００４３】
従動リール１８は、エアーフィルター１６の他端が固定されるリール体１８ａと、本体２ａに回転自在に支持された回転軸１８ｂと、回転軸１８ｂに固着され、一端がプーリー１７ｃに張架されたタイミングベルト２１の他端が張架されるプーリー１８ｃと、回転軸１８ｂに取着された第１の歯車２０から構成されている。本実施例では、第１の歯車２０には、歯が形成されていない切欠部２０ａが２箇所対向して形成されている。また、第１の歯車２０は、図示しないラチェット機構により、回転軸１８ｂが矢印Ａ方向に回転するときは、その回転軸１８ｂの回転と共に友回りするが、回転軸１８ｂが、矢印Ｂ方向に回転するときは、空回り、すなわち、回転軸１８ｂの回転力が第１の歯車２０に伝達されないようになっている。
【００４４】
１は、エアーフィルター１６を清掃するエアーフィルター清掃機構で、プロジェクター装置２の本体２ａの上面に設けた開口部２ｂより、本体２ａに着脱自在に装着できるようになっており、エアーフィルター１６に付着した塵埃を除去する除塵体２６と、除塵体２６で除去された塵埃を収納する塵埃収納部２５ａを有する塵埃収納ケース２５と、除塵体２６を収納する清掃機構本体１ａから構成されている。
【００４５】
除塵体２６は、従動リール１８と平行に配されかつ回転自在でエアーフィルター１６に付着した塵埃を除去する除塵ブラシ２３と、除塵ブラシ２３に付着した塵埃を除去する除去ブラシ２４から構成されている。
【００４６】
除塵ブラシ２３は、エアーフィルター１６の上流側表面に摺接するブラシ部材２３ａを外周に有する除塵ブラシ本体２３ｂと、清掃機構本体１ａに回転自在に軸支された軸体２３ｃと、軸体２３ｃの端部に固着されると共に従動リール１８の第１の歯車２０に噛み合う第２の歯車２７から構成されている。又、除塵ブラシ２３は、特に図示しないが、除塵ブラシ２３の回転角度を規制する回転規制手段と、除塵ブラシ２３を、矢印Ｃ方向に回転付勢する付勢手段を備えている。
【００４７】
除去ブラシ２４は、除塵ブラシ２３に対向して配されると共に、その先端が除塵ブラシ２３のブラシ部材２３ａに当接しており、除塵ブラシ２３が回転したときに、ブラシ部材２３ａに付着した塵埃が除去されるようになっている。なお、本実施例では、除塵ブラシ２３のブラシ部材２３と、除去ブラシ２４のそれぞれの先端が塵埃収納部２５ａ側に向かって、突き刺さるように傾斜している。
【００４８】
以上のように構成された本実施例におけるプロジェクター装置の動作、作用は、以下の通りである。
【００４９】
まず最初に、投影したい画像情報を保有するパソコン（図示せず）の出力線（図示せず）をプロジェクター装置２の所定の接続端子（図示せず）に接続し、次にプロジェクター装置の本体２ａに設けられたスイッチ（図示せず）をＯＮすると、制御体１１、送風機１０、電源基板体７、画像表示素子体６のそれぞれに通電され、投射体３から、前記パソコンの操作により指定された画像が投影される。
【００５０】
プロジェクター装置２の運転中は、送風機１０の運転により、外気が、本体２ａの吸気口４→エアーフィルター１６→空気通路９→外気通過口１５ａを経て、本体２ａ内に入り、画像表示素子体６、電源基板体７、制御体１１など熱を発生させる各発熱部品を冷却した後、排気口５より外部に排気される。
【００５１】
外気が、エアーフィルター１６を通過するときに、その外気に含まれた塵埃は、エアーフィルター１６で捕集されるので、塵埃が本体２ａ内に入ることが無い。なお、本実施例では、エアーフィルター１６は、予め駆動リール１７側に巻き取られている（初期位置）。
【００５２】
このようにして、本体２ａを長期間使用していると、エアーフィルター１６の空気通路９内に臨んでいる部分が次第に塵埃で目詰まりし、外気が吸気口４から入り難くなって、本体２ａ内の発熱部品の冷却性能が低下してくるが、本実施例では、本体２ａ内の温度や圧力を検知するセンサー８を設けて、空気の流れが悪くなって本体２ａ内の温度が所定の温度を超えたり、空気が本体２ａ内に入り難くなって、本体２ａ内の空気圧力が所定の値以下になったことを検知すると、エアーフィルター１６の清掃運転を開始する。
【００５３】
次に、エアーフィルター１６の清掃運転の詳細について、図３及び４を参照しながら説明する。
【００５４】
図３、４において、清掃運転の開始に先立ち、除塵ブラシ２３は、付勢手段の付勢力及び回転規制手段により、図４（ａ）に示す位置で停止している（以下この位置を「初期位置」という）。そして清掃運転が開始すると、第１の駆動手段１９に通電され、駆動リール１７が矢印Ｄ方向に回転し、これに伴い、タイミングベルト２１を介して連結された従動リール１８が、同時に矢印Ｂ方向に回転し、エアーフィルター１６が従動リール１８側に移動し、従動リール１８に巻き取られていく。
【００５５】
このエアーフィルター１６の移動の間に、初期位置で回転規制された状態の除塵ブラシ２３のブラシ部材２３ａに、エアーフィルター１６の表面に付着していた塵埃がこすり付けられるように、付着していく、つまりブラシ部材２３ａによって、エアーフィルター１６の表面の塵埃が除去される（図４（ａ）参照）。この間、従動リール１８側の第１の歯車２０は、ラチェット機構により、従動リール１８の回転軸１８ｂと一緒に共回りすることは無い。
【００５６】
そして、少なくともエアーフィルター１６の空気通路９に臨んでいた部分の全てが、除塵ブラシ２３により除塵され終わると、図４（ｂ）に示すように、第１の駆動手段１９が逆転し、駆動リール１７、従動リール１８がそれぞれ矢印Ｅ、Ａ方向に回転し、エアーフィルター１６が、駆動リール１７側に移動し始める。
【００５７】
このとき、図４（ｂ）に示すように、従動リール１８の回転軸１８ｂの回転と共に、第１の歯車２０が矢印Ａ方向に回転し、それに噛み合っている第２の歯車２７が矢印Ｆ方向に回転し、除塵ブラシ２３のブラシ部材２３ａに付着していた塵埃が、除去ブラシ２４で除去され塵埃収納ケース２５内に落下する。エアーフィルター１６の駆動リール１７側への移動の間、第１の歯車２０は、矢印Ａ方向に回り続けるが、第１の歯車２０には、歯の無い切欠部２０ａが形成されているので、切欠部２０ａが第２の歯車２７と対向したときに、第１の歯車２０と第２の歯車２７の噛み合いが外れ、図４（ｃ）に示すように、第２の歯車２７は、付勢手段の付勢力により瞬時に矢印Ｃ方向に回転し、除塵ブラシ２３が初期位置まで戻る。
【００５８】
そして、第１の歯車２０の回転に伴い、それが再び第２の歯車２７と噛み合うと、図４（ｂ）の状態になり、除塵ブラシ２３が再び矢印Ｆ方向に回転し、その間に、除塵ブラシ２３のブラシ部材２３ａに付着していた塵埃が除去ブラシ２４で除去され塵埃収納ケース２５内に落下する。
【００５９】
エアーフィルター１６が駆動リール１７側に完全に巻き取られるまでこの動作が繰り返されることにより、除塵ブラシ２３のブラシ部材２３ａに付着していた塵埃の全てが除去ブラシ２４で除去され塵埃収納ケース２５内に落下する。
【００６０】
上記のようなエアーフィルター１６の清掃が自動的に何度か行われている内に、塵埃収納部２５ａが塵埃で一杯になってきたら、つまみ１ｂを掴んで、本体２ａに設けた開口部２ｂよりエアーフィルター清掃機構１を抜き取り、更にそのエアーフィルター清掃機構１より塵埃収納ケース２５を取り外して、中に収納された塵埃を廃棄するようにする。
【００６１】
以上のように、本実施例によれば、除塵体２６を、除塵ブラシ２３と除去ブラシ２４で構成し、エアーフィルター１６に付着した塵埃をまず除塵ブラシ２３で除去し、その除塵ブラシ２３に付着した塵埃を除去ブラシ２４で除去することで、プロジェクター装置２内でエアーフィルター１６がどのような向きで配置されていても、エアーフィルター１６に付着した塵埃を確実に除去することが出来る。
【００６２】
また、除塵ブラシ２３及び除去ブラシ２４の先端を塵埃収納部２５ａ側に対して、突き刺さるように傾斜させているので、除塵ブラシ２３や除去ブラシ２４に付着した塵埃が確実に塵埃収納部２５ａ側に移動することになり、一旦除去された塵埃がエアーフィルター１６に再付着することが無い。
【００６３】
また、除塵ブラシ２３を、空気通路９より外方、すなわち、エアフィルター１６の外気が通過する通気エリア以外に設けているので、除塵ブラシ２３が、外気の通過を阻害することがなく、エアフィルター１６の濾過面積を有効に活用できる。
【００６４】
また、除塵ブラシ２３によるエアフィルター１６の除塵は、外気が通過する空気通路９の外側で行われるので、エアフィルター１６に作用する吸引風と除塵ブラシ２３の作用で、一旦捕集された塵埃がエアフィルター１６の目を通過することが無い。
【００６５】
また、エアーフィルター１６の除塵が、使用者の手を煩わすこと無く除塵ブラシ２３で確実に行われ、エアーフィルター１６が常にきれいな状態で維持されるので、エアーフィルター１６の部分での空気圧損が少なく、プロジェクター装置２内部を効率よく冷却できるので、信頼性に優れたプロジェクター装置２を提供することが出来る。
【００６６】
エアーフィルター１６が目詰まりしてくると、吸気口４と排気口５間の通過空気の温度が上がったり、圧力が低下する。また、プロジェクター装置２を長い間使用するとエアーフィルター１６上の塵埃の量が増えてくる。そこで、吸気口４と排気口５を連通する空気通路９内に設けられたセンサー８で検知された温度や圧力等、或いはプロジェクター装置２の積算運転時間よりエアーフィルター１６の汚れ具合を推定し、それに応じて、第1の駆動手段１９を駆動してエアーフィルター１６を所定距離移動させて、エアーフィルター１６に付着した塵埃を除去するようにすれば、使用者が、定期的にエアーフィルター１６の汚れ具合をチェックしたり、チェックのために、エアーフィルター清掃機構１を都度取り外す必要が無く、使用勝手が良い。
【００６７】
なお、塵埃収納ケース２５の上面に取っ手（図示せず）を設けて、エアーフィルター清掃機構１を本体２ａより引き出す代わりに、塵埃収納ケース２５のみ本体２ａから引き出せるようにすれば、塵埃廃棄の際の作業性が向上することは言うまでも無い。又、除塵体２６をプロジェクター装置２の本体２ａに着脱自在に設けるようにすれば、除塵体２６の清掃、メンテナンスが容易になることは言うまでも無い。
【００６８】
なお、上記実施例では、帯状のエアーフィルター１６を左右に移動させて除塵体２６で、エアーフィルター１６に付着した塵埃を除去するようにしたが、エアーフィルター１６を円盤状に形成し、そのエアーフィルター１６を回転させて、除塵体２６で除塵するようにしても良い。更に、上記のように、エアーフィルター１６を移動或いは回転させる代わりに、エアーフィルター１６を固定しておき、除塵体２６を移動又は回転させながら、除塵するようにしても良い。
【００６９】
（実施例２）
【００７０】
図５は、本発明の第２の実施例におけるプロジェクター装置の外観斜視図、図６は、同プロジェクター装置のエアーフィルター清掃機構の取付け部周辺の断面図、図７は、同エアーフィルター清掃機構の斜視図である。なお、上記第１の実施例と同一部分には、同一符号を付してその説明を省略する。
【００７１】
上記第１の実施例では、エアーフィルターを、プロジェクター装置２の本体２ａ側に設けたのに対し、本実施例では、エアーフィルターを、本体に対し着脱自在のエアーフィルター清掃機構に配置したものである。
【００７２】
図５〜７において、本実施例におけるプロジェクター装置２の本体２ａの上面には、エアーフィルター清掃機構３０を着脱自在に出し入れするための細長の開口部２ｃが設けられ、その開口部２ｃは、開閉自在の蓋体３１で覆われている。蓋体３１には、その蓋体３１の開閉を容易にするために、つまみ３１ａが設けられている。
【００７３】
次に、本実施例におけるフィルター清掃機構３０の構成について詳述する。
エアーフィルター清掃機構３０の一側には、第１リール収納部３２が、他側に第２リール収納部３３が設けられ、第１リール収納部３２と第２リール収納部３３との間に通気通路部３４が形成されている。
【００７４】
エアーフィルター清掃機構３０の前面には、第１開口部３５が、後面には第２開口部３６がそれぞれ設けられ、エアーフィルター清掃機構３０を本体２ａに装着したときに、第１開口部３５と本体２ａの吸気口４とが気密に接すると共に、吸気口４、第１開口部３５、通気通路部３４、第２開口部３６、空気通路９が連通するようになっている。
【００７５】
第１リール収納部３２には、駆動リール１７と、駆動リール１７を回転駆動する第１の駆動手段１９が収納され、第２リール収納部３３には、従動リール１８と、除塵ブラシ２３と、除塵体２４が収納され、更に第２リール収納部３３には、塵埃収納部２５ａを有する塵埃収納ケース２５が着脱自在に設けられている。又、第１リール収納部３２と第２リール収納部３３のそれぞれ通気通路部３４に面する内壁には、エアーフィルター１６を通すためのスリット３４ａが形成され、エアーフィルター１６が、通気通路部３４を横断するように、駆動リール１７と従動リール１８間に張架されている。又、駆動リール１７に設けたプーリー１７ｃと従動リール１８に設けたプーリー１７ｃとの間にタイミングベルト２１が張架されている。
【００７６】
プロジェクター装置２の運転時には、送風機１０の運転により、外気が、本体２ａの吸気口４→第１開口部３５→エアーエアーフィルター１６→通気通路部３４→第２開口部３６→空気通路９→外気通過口１５ａを経て、本体２ａ内に入り、画像表示素子体６、電源基板体７、制御体１１など熱を発生させる発熱部品を冷却した後、排気口５より外部に排気され、その間に、流入する外気に含まれる塵埃は、エアーエアーフィルター１６の通気通路部３４に臨む部分で捕集される。
【００７７】
なお、駆動リール１７と、第１の駆動手段１９、従動リール１８、除塵ブラシ２３、除去ブラシ２４、塵埃収納ケース２５等の上記各部品の配置関係、動作等は、基本的に、上記第１の実施例で述べたものと同一なので、エアーフィルター１６の清掃時の動作も含め、説明は割愛する。
【００７８】
なお、塵埃収納ケース２５内に堆積した塵埃を廃棄するときは、つまみ３１ａを掴んで蓋体３１を開け、本体２ａよりエアーフィルター清掃機構３０を取り出し、塵埃収納ケース２５を外して行う。
【００７９】
以上のように、本実施例によれば、エアーフィルター清掃機構３０がプロジェクター装置２の本体２ａに着脱自在なので、エアーフィルター清掃機構３０、プロジェクター装置２それぞれの組み立てが容易になると共に、エアーフィルター清掃機構３０をプロジェクター装置２の本体２ａから取り外すだけで、エアーフィルター清掃機構３０や、エアーフィルター１６の周辺部の点検、修理などのメンテナンスが非常に容易になる。又、エアーフィルター清掃機構３０を本体２ａに取り付けたときに、通気通路部３４が吸気口４と気密に連通するので、外気が吸気口４以外の部分から吸引され、エアーフィルター１６を通過せずに直接プロジェクター装置２内に侵入することが無い。更に、エアーフィルター清掃機構３０が着脱自在なので、塵埃収納部２５ａ内の塵埃の廃棄も容易にできる。
【００８０】
なお、塵埃収納ケース２５の上面に取っ手（図示せず）を設けて、エアーフィルター清掃機構３０を本体２ａより引き出す代わりに、塵埃収納ケース２５のみ本体２ａから引き出せるようにすれば、塵埃廃棄の際の作業性が向上することは言うまでも無い。
【産業上の利用可能性】
【００８１】
以上のように、本発明に係るプロジェクター装置は、エアーフィルターの濾過面積を有効に活用しながら、エアーフィルターの配置の向きに関係なく効率よくエアーフィルターの塵埃を除去すると共に、塵埃の排気頻度が少なく、メンテナンスが容易なもので、外気を取り入れて内部の発熱部品を冷却するようにした各種電子機器、電気機器に応用できる。
【図面の簡単な説明】
【００８２】
【図１】本発明の第１の実施例におけるプロジェクター装置の外観斜視図
【図２】同プロジェクター装置のエアーフィルター清掃機構の取付け部周辺の断面図
【図３】同エアーフィルター清掃機構とエアーフィルターの関係を示す斜視図
【図４】（ａ）〜（ｃ）同エアーフィルター清掃機構による清掃動作を説明する図
【図５】本発明の第２の実施例におけるプロジェクター装置の外観斜視図
【図６】同プロジェクター装置のエアーフィルター清掃機構の取付け部周辺の断面図
【図７】同エアーフィルター清掃機構の斜視図
【符号の説明】
【００８３】
１、３０  エアーフィルター清掃機構
２  プロジェクター装置
２ａ  本体
４  吸気口
５  排気口
９  空気通路
１０  送風機
１６  エアーフィルター
１９  第１の駆動手段（駆動手段）
２３  除塵ブラシ（フィルター支持体）
２４  除去ブラシ
２５ａ  塵埃収納部
２６  除塵体
【図１】
2010128394.tif 000003
【図２】
2010128394.tif 000004
【図３】
2010128394.tif 000005
【図４】
2010128394.tif 000006
【図５】
2010128394.tif 000007
【図６】
2010128394.tif 000008
【図７】
2010128394.tif 000009